(57)【要約】【課題】作業者が鋼板の寸法を測定するときに、自ら測定箇所を特定して入力したり、測定箇所の順番を意識したりする必要をなくす。【解決手段】上方から厚鋼板１を撮像する撮像装置２で撮像した画像データを管理コンピュータ３に入力する。管理コンピュータ３は、作業者Ｗが測定した寸法の測定値を入力する測定値入力部３１と、測定値入力部３１に測定値が入力されたタイミングで、撮像装置２で得られた画像データに基づいて、厚鋼板１上又は厚鋼板１まわりにいる作業者Ｗの位置情報を取得する位置情報取得部３２と、測定値入力部３１に測定値が入力されたタイミングで、撮像装置２で得られた画像データに基づいて、所定の画像処理により、厚鋼板１上又は厚鋼板１まわりにいる作業者Ｗの向きを判定する判定部３３とを備える。【選択図】図１
2014202597.tif 000002
【特許請求の範囲】
【請求項１】
作業者が鋼板の寸法を測定する作業を支援する鋼板の寸法測定支援システムであって、
作業者の位置情報を取得する位置情報取得手段を備えたことを特徴とする鋼板の寸法測定支援システム。
【請求項２】
上方から鋼板を撮像する撮像装置を備えたことを特徴とする請求項１に記載の鋼板の寸法測定支援システム。
【請求項３】
前記位置情報取得手段は、前記撮像装置で得られた画像に基づいて、作業者の位置情報を取得することを特徴とする請求項２に記載の鋼板の寸法測定支援システム。
【請求項４】
前記撮像装置で得られた画像に基づいて、作業者の向きを判定する判定手段を更に備えたことを特徴とする請求項２又は３に記載の鋼板の寸法測定支援システム。
【請求項５】
前記撮像装置で得られた画像に基づいて、長さを測定するための巻尺の帯を認識する巻尺認識手段を更に備えたことを特徴とする請求項２乃至４のいずれか１項に記載の鋼板の寸法測定支援システム。
【請求項６】
作業者が鋼板の寸法を測定する作業を支援する鋼板の寸法測定支援方法であって、
位置情報取得手段が、作業者の位置情報を取得することを特徴とする鋼板の寸法測定支援方法。
【発明の詳細な説明】
【技術分野】
【０００１】
本発明は、作業者が鋼板の寸法を測定する作業を支援する鋼板の寸法測定支援システム及び方法に関する。
【背景技術】
【０００２】
厚鋼板の検査工程や手入工程を始めとする精整工程において、板幅、板長さ、キャンバー、直角度、対角交差、板厚等の寸法（寸度）を測定することが行われている。
図３に示すように、板幅は、例えば先端での板幅（幅ＴＯＰ）、中央部での板幅（幅ＭＩＤ）、尾端での板幅（幅ＢＯＴ）、最大板幅（幅ＭＡＸ）、最小板幅（幅ＭＩＮ）を測定する。
板長さは、例えば搬送時におけるワークサイド（ＷＳ）での板長さ（長さＷＳ）、センターでの板長さ（長さセンター）、ドライブサイド（ＤＳ）での板長さ（長さＤＳ）を測定する。
キャンバーとは、厚鋼板のエッジの反りを示す値であり、図４に示すように、片側の先端と尾端を結ぶ直線から外れる最大距離で表わされる。キャンバーは、例えばＷＳでのキャンバー（キャンバーＷＳ）、ＤＳでのキャンバー（キャンバーＤＳ）を測定する。
直角度は、先端及び尾端とエッジとの角度で表わされ、例えば対角ＴＯＰ ＷＳ、対角ＴＯＰ ＤＳ、対角ＢＯＴ ＷＳ、対角ＢＯＴ ＤＳを測定する。
対角交差は、｜ａ−ｂ｜を測定する。
板厚は、例えば先端側３点、中央部３点、尾端側３点の計９点（図３中の●を参照）で板厚を測定する。
【０００３】
このように厚鋼板の寸法の測定箇所は多岐にわたり、また、全厚鋼板とも同じ測定箇所で測定するとは限らず、全箇所測定するケースや数箇所だけで再測定するケースもある。したがって、寸法の測定値と測定箇所とを関連付けて、管理コンピュータに入力する必要がある。
【０００４】
鋼板の寸法を測定する技術として、例えば特許文献１には、作業員の耳孔内に装着され、作業員の鼓膜から発せられ耳孔内を伝播する空気の振動を音声信号として入力し且つ音声信号を出力する音声入出力装置を利用した寸法測定システムが開示されている。特許文献１には、例えば音声信号から「アツ」を音声認識すると「厚さ」と認識する等して、測定箇所を特定することが開示されている。また、特許文献１には、発話により寸法種別を特定しなくてもよいように、測定値が入力される順番について、１番目は厚さ、２番目は長さ、・・・のように予め設定しておくことが開示されている。
【先行技術文献】
【特許文献】
【０００５】
【特許文献１】特許第４６０８５９３号公報
【発明の概要】
【発明が解決しようとする課題】
【０００６】
しかしながら、特許文献１の寸法測定システムを含め、従来は、作業者が自ら測定箇所を特定して入力したり、測定箇所の順番を意識したりする必要がある。特に図３に示したように板幅、板長、板厚等をそれぞれ複数の箇所で測定するような場合、測定箇所を特定して入力したり、測定箇所の順番を意識したりするのが煩雑な作業となり、誤インプットの要因にもなってしまう。
【０００７】
本発明は上記のような点に鑑みてなされたものであり、作業者が鋼板の寸法を測定するときに、自ら測定箇所を特定して入力したり、測定箇所の順番を意識したりする必要をなくすことを目的とする。
【課題を解決するための手段】
【０００８】
本発明の寸法測定支援システムは、作業者が鋼板の寸法を測定する作業を支援する鋼板の寸法測定支援システムであって、作業者の位置情報を取得する位置情報取得手段を備えたことを特徴とする。
また、本発明の鋼板の寸法測定支援システムの他の特徴とするところは、上方から鋼板を撮像する撮像装置を備えた点にある。前記位置情報取得手段は、前記撮像装置で得られた画像に基づいて、作業者の位置情報を取得するようにしてもよい。そして、前記撮像装置で得られた画像に基づいて、作業者の向きを判定する判定手段を更に備えてもよい。また、前記撮像装置で得られた画像に基づいて、長さを測定するための巻尺の帯を認識する巻尺認識手段を更に備えてもよい。
本発明の鋼板の寸法測定支援方法は、作業者が鋼板の寸法を測定する作業を支援する鋼板の寸法測定支援方法であって、位置情報取得手段が、作業者の位置情報を取得することを特徴とする。
【発明の効果】
【０００９】
本発明によれば、鋼板の寸法の測定箇所を容易に判定することが可能になるので、作業者が鋼板の寸法を測定するときに、自ら測定箇所を特定して入力したり、測定箇所の順番を意識したりする必要がなくなる。
【図面の簡単な説明】
【００１０】
【図１】第１の実施形態に係る鋼板の寸法測定支援システムの概略構成を示す図である。
【図２】第２の実施形態に係る鋼板の寸法測定支援システムの概略構成を示す図である。
【図３】厚鋼板の寸法の測定箇所の例を示す図である。
【図４】キャンバーを説明するための図である。
【発明を実施するための形態】
【００１１】
以下、添付図面を参照して、本発明の好適な実施形態について説明する。
（第１の実施形態）
図１に、第１の実施形態に係る鋼板の寸法測定支援システムの概略構成を示す。
厚鋼板１は、精整作業が行われる作業台上に載置される。厚鋼板１は、板幅が数ｍ程度であるのに対して、板長さは数十ｍ程度の長尺の矩形状を呈する。
【００１２】
作業台の上方には、厚鋼板１を撮像する撮像装置２（例えばステレオカメラ）が配置される。撮像装置２はＣＣＤ等の撮像素子を備え、撮像した画像データをプロコンと称される管理コンピュータ３に入力する。なお、図１では撮像装置２を１台のように示したが、複数台あってもよい。
【００１３】
管理コンピュータ３において、３１は測定値入力部であり、作業者Ｗが測定した寸法の測定値を入力する。
本実施形態において、作業者Ｗは、測定データを送信する機能を有する巻尺やマイクロメータを用いて各部の寸法を測定する。例えば板幅、板長さ、対角交差を測定するときは、作業者Ｗは巻尺を用いて長さを測定し、所定の操作を行うと（例えば巻尺に設けられたボタンを押下すると）、巻尺から測定データが管理コンピュータ３に無線通信により送信される。図１には、作業者Ｗが巻尺４を用いて幅ＭＩＤを測定している様子を示す。板厚を測定するときも同様に、作業者Ｗはマイクロメータを用いて板厚を測定し、所定の操作を行うと（例えばマイクロメータに設けられたボタンを押下すると）、マイクロメータから測定データが管理コンピュータ３に無線通信により送信される。
なお、測定値入力部３１が寸法の測定値を入力する方式はこれに限られるものではない。例えば特許文献１にあるような音声入出力装置を利用して、作業者が発音した寸法の測定値が管理コンピュータ３に入力される形態でもよい。或いは、作業者ＷがＰＤＡ等の携帯端末に寸法の測定値を入力すると、その測定値が無線通信により管理コンピュータ３に入力される形態でもよい。
【００１４】
３２は位置情報取得部であり、測定値入力部３１に測定値が入力されたタイミングで、撮像装置２で得られた画像データに基づいて、厚鋼板１上又は厚鋼板１まわりにいる作業者Ｗの位置情報を取得する。そして、取得した作業者Ｗの位置情報を、測定値入力部３１に入力された測定値と関連付けて記憶部３４に記憶する。位置情報取得部３２では、例えば撮像装置２で得られた画像データに基づいて、所定の画像処理により、厚鋼板１の輪郭を画定する。そして、厚鋼板１の一角部を座標原点（０，０）とし、厚鋼板１の幅方向をＸ方向、長さ方向をＹ方向とする座標系により作業者Ｗの位置情報を取得する。
【００１５】
３３は判定部であり、測定値入力部３１に測定値が入力されたタイミングで、撮像装置２で得られた画像データに基づいて、所定の画像処理により、厚鋼板１上又は厚鋼板１まわりにいる作業者Ｗの向きを判定する。そして、判定した作業者Ｗの向きを、測定値入力部３１に入力された測定値と関連付けて記憶部３４に記憶する。
この場合に、例えば作業者Ｗの作業着やヘルメットに模様をつけたり、前後で色を異ならせたりする等して、画像処理により作業者Ｗの向きを判定しやすいようにしてもよい。
【００１６】
このようにした管理コンピュータ３は、例えばＣＰＵ、ＲＯＭ、ＲＡＭ等を備えたコンピュータ装置により実現される。なお、図１では管理コンピュータ３を単体の装置のように示したが、複数台の装置により構成されてもよい。
【００１７】
以上の構成により、測定値入力部３１に入力された測定値が、どの測定箇所での測定値であるのかを容易に判定することが可能になる。
例えば図１に示したように幅ＭＩＤを測定する場合、測定値入力部３１に測定値が入力されたタイミングでの作業者Ｗの位置情報を取得すれば、幅ＭＩＤを測定していると判定することは容易である。長さセンターを測定する場合も同様である。また、９箇所での板厚を測定する場合も、測定値入力部３１に測定値が入力されたタイミングで作業者Ｗの位置情報を取得すれば、どこの板厚を測定しているのかを判定することは容易である。
【００１８】
その一方で、例えば図１の座標原点（０，０）付近に作業者Ｗがいて、巻尺４から測定データが管理コンピュータ３に送信された場合、作業者Ｗの位置情報を取得するだけでは、その測定値が、幅ＴＯＰであるのか、長さＷＳであるのか、対角交差であるのかを判定することは難しい。特に板幅であれば板長さや対角交差と測定値が大きく異なることなるが、板長さと対角交差とは測定値が似たような値となるので、いずれの測定値であるかを推定することが難しい。
この場合に、幅ＴＯＰを測定しているのであれば、作業者Ｗは矢印５方向に向いている。また、長さＷＳを測定しているのであれば、作業者Ｗは矢印６方向に向いている。また、対角交差を測定しているのであれば、作業者Ｗは矢印７方向に向いている。したがって、測定値入力部３１に測定値が入力されたタイミングでの作業者Ｗの向きを判定することにより、測定値入力部３１に入力された測定値が、どの測定箇所での測定値であるのかを容易に判定することができる。
【００１９】
なお、位置情報取得部３２により取得した作業者Ｗの位置情報と、判定部３３により判定した作業者Ｗの向きとに基づいて、管理コンピュータ３が測定箇所を自動判定する構成としてもよい。或いは、管理コンピュータ３では、位置情報取得部３２により取得した作業者Ｗの位置情報と、判定部３３により判定した作業者Ｗの向きとを、測定値入力部３１に入力された測定値と関連付けて記憶部３４に記憶するだけとして、測定箇所を判定するのは人手によるものでもよい。
【００２０】
（第２の実施形態）
第１の実施形態では、撮像装置２で得られた画像データに基づいて、作業者Ｗの向きを判定するようにしたが、それに代えて又はそれに加えて、撮像装置２で得られた画像データに基づいて、巻尺４の帯４ａを認識するようにしてもよい。
図２に、第２の実施形態に係る鋼板の寸法測定支援システムの概略構成を示す。図２に示すように、図１に示した判定部３３に代えて、巻尺認識部３５を備える。
巻尺認識部３５では、測定値入力部３１に測定値が入力されたタイミングで、撮像装置２で得られた画像データに基づいて、所定の画像処理により、厚鋼板１上に張られた巻尺４の帯４ａを認識する。そして、巻尺４の帯４ａが張られている方向を、測定値入力部３１に入力された測定値と関連付けて記憶部３４に記憶する。
この場合に、例えば巻尺４の帯４ａを所定の色にする等して、画像処理により巻尺４の帯４ａを認識しやすいようにしてもよい。
【００２１】
幅ＴＯＰを測定しているのであれば、巻尺４の帯４ａは二点鎖線８に沿って張られた状態となる。また、長さＷＳを測定しているのであれば、巻尺４の帯４ａは二点鎖線９に沿って張られた状態となる。また、対角交差を測定しているのであれば、巻尺４の帯４ａは二点鎖線１０に沿って張られた状態となる。したがって、測定値入力部３１に測定値が入力されたタイミングでの巻尺４の帯４ａを認識することにより、測定値入力部３１に入力された測定値が、どの測定箇所での測定値であるのかを容易に判定することができる。
なお、図２では判定部３３に代えて巻尺認識部３５を備えると説明したが、判定部３３及び巻尺認識部３５の両方を備えていてもよい。
【００２２】
（第３の実施形態）
第１、２の実施形態では、厚鋼板１上又は厚鋼板１まわりにいる作業者Ｗの位置情報を取得するのに、撮像装置２で得られた画像データを用いるようにしたが、例えば局所エリアを認識するＧＰＳ（Global Positioning System）を利用してもよい。
【００２３】
以上、本発明を種々の実施形態と共に説明したが、本発明はこれらの実施形態にのみ限定されるものではなく、本発明の範囲内で変更等が可能である。
上記実施形態では、管理コンピュータ３が位置情報取得部３２、判定部３３、巻尺認識部３５を備える構成を説明したが、管理コンピュータ３とは別の装置が位置情報取得部３２、判定部３３、巻尺認識部３５として機能する構成でもよい。
【符号の説明】
【００２４】
１：厚鋼板、２：撮像装置、３：管理コンピュータ、４：巻尺、４ａ：帯、３１：測定値入力部、３２：位置情報取得部、３３：判定部、３４：記憶部、３５：巻尺認識部
【図１】
2014202597.tif 000003
【図２】
2014202597.tif 000004
【図３】
2014202597.tif 000005
【図４】
2014202597.tif 000006